(57)【要約】      （修正有）【課題】外部の携帯電話機への安価な転送が可能なビジネスホンシステムにおいて、設定作業の負担を軽減し、通信の安定化を図る。【解決手段】通話中継システムは、主装置に接続される交換装置と、交換装置に接続される回線アダプタ装置とを含む。交換装置と回線アダプタ装置とはＵＳＢケーブル１６で有線接続される。回線アダプタ装置は、ＵＩＭカード（ＩＣカードＣ）を収容し、携帯電話網を介した音声通話を行う移動体通信モジュールと、移動体通信モジュールから出力されるアナログ音声信号をＡ／Ｄ変換するＡ／Ｄコンバータと、交換装置からのデジタル音声信号をＤ／Ａ変換して移動体通信モジュールに入力するＤ／Ａコンバータとを備える。交換装置は、主装置から指定された電話番号に発呼するための呼制御信号を出力する呼制御部を備える。移動体通信モジュールは、交換装置から伝送された呼制御信号にて指示された電話番号に発呼して音声通話を行う。【選択図】図２
2017192084.tif 000002
【特許請求の範囲】
【請求項１】
ビジネスホンシステムの主装置に接続される交換装置と、前記交換装置に接続される回線アダプタ装置とを含む通話中継システムであって、
前記交換装置と前記回線アダプタ装置とはＵＳＢケーブルで有線接続され、
前記回線アダプタ装置は、
移動体通信に用いられるＩＣカードを収容し、移動体通信網を介した音声通話を行う移動体通信モジュールと、
前記移動体通信モジュールから出力されるアナログ音声信号をデジタル音声信号に変換するＡ／Ｄコンバータと、
前記交換装置からのデジタル音声信号をアナログ音声信号に変換して前記移動体通信モジュールに入力するＤ／Ａコンバータと、
を備え、
前記交換装置は、
前記主装置から指定された電話番号に発呼するための呼制御信号を出力する呼制御部と、
前記主装置と前記回線アダプタ装置との間でデジタル音声信号を中継する中継処理部と、
を備え、
前記移動体通信モジュールは、前記交換装置から伝送された前記呼制御信号にて指示された電話番号に発呼して音声通話を行い、
前記ＵＳＢケーブルを通じて、前記Ａ／Ｄコンバータの変換で得られたデジタル音声信号を前記回線アダプタ装置から前記交換装置に送信し、
前記ＵＳＢケーブルを通じて、デジタル音声信号を前記交換装置から前記回線アダプタ装置に送信する、通話中継システム。
【請求項２】
前記回線アダプタ装置は、さらに、無応答の電話番号への発呼を所定回繰り返したときに、前記移動体通信モジュールを再起動する制御部を備えている請求項１に記載の通話中継システム。
【請求項３】
前記回線アダプタ装置において、前記移動体通信モジュールは、前記回線アダプタ装置の他の部品に対して独立した部品として構成されている請求項１又は２に記載の通話中継システム。
【請求項４】
ビジネスホンシステムの主装置に接続される交換装置と、ＵＳＢケーブルで有線接続される回線アダプタ装置であって、
移動体通信に用いられるＩＣカードを収容し、移動体通信網を介した音声通話を行う移動体通信モジュールと、
前記移動体通信モジュールから出力されるアナログ音声信号をデジタル音声信号に変換するＡ／Ｄコンバータと、
前記交換装置からのデジタル音声信号をアナログ音声信号に変換して前記移動体通信モジュールに入力するＤ／Ａコンバータと、
を備え、
前記ＵＳＢケーブルを通じて、前記Ａ／Ｄコンバータの変換で得られたデジタル音声信号を前記交換装置に送信し、
前記ＵＳＢケーブルを通じて、前記交換装置からのデジタル音声信号を受信し、
前記移動体通信モジュールは、前記交換装置から伝送された呼制御信号にて指示された電話番号に発呼して音声通話を行う回線アダプタ装置。
【請求項５】
さらに、無応答の電話番号への発呼を所定回繰り返したときに、前記移動体通信モジュールを再起動する制御部を備えている請求項４に記載の回線アダプタ装置。
【請求項６】
前記移動体通信モジュールは、前記回線アダプタ装置において他の部品に対して独立した部品として構成されている請求項４又は５に記載の回線アダプタ装置。
【発明の詳細な説明】
【技術分野】
【０００１】
本発明は、外線に電話を中継する通話中継システム及びそれに用いる回線アダプタ装置に関するものである。
【背景技術】
【０００２】
従来より、オフィス等において複数の外線と内線を共有できるビジネスホンシステムが広く用いられている。このビジネスホンシステムは、構内交換機としての主装置と、主装置に接続される複数の多機能電話機とからなる。さらに、内線又は外線を携帯電話に接続するための交換装置を含むビジネスホンシステムも知られている。交換装置を主装置に接続することで、外線又は内線を外部の電話機に接続することができる。
【０００３】
図３は、従来のビジネスホンシステムの構成を示す図である。ビジネスホンシステム１００は、主装置１０１と、複数の多機能電話機１０２と、交換装置１０３と、複数の近距離無線通信アダプタ１０４と、複数の転送用携帯電話機１０５とを備えている。ビジネスホンシステム１００は、例えばオフィスなどの構内に設置される。
【０００４】
主装置１０１は、公衆交換電話網及びＩＰ電話網等（以下、単に「公衆交換電話網」という。）ＮＷ１に接続され、公衆交換電話網ＮＷ１を介して外線を着信できる。公衆交換電話網ＮＷ１にはオフィス外の電話機２００が接続されている。また、主装置１０１は、構内の複数の多機能電話機１０２に電話線又はＬＡＮケーブルで接続されている。主装置１０１は、さらに交換装置１０３とＬＡＮケーブルで接続されており、ＳＩＰ（Session Initial Protocol）によってＶｏＩＰの通信を行う。
【０００５】
交換装置１０３は、複数のＵＳＢポート１０３１を有し、ここに複数の近距離無線通信アダプタ１０４がそれぞれ差し込まれる。各近距離無線通信アダプタ１０４は、Ｂｌｕｅｔｏｏｔｈ（登録商標）によって対応する携帯電話機１０５との間で呼制御信号や音声信号の送受信を行う。転送用携帯電話機１０５は、Ｂｌｕｅｔｏｏｔｈ（登録商標）モジュールを備えた、市販されている一般的な携帯電話機であり、移動体通信網ＮＷ２を介して外部の携帯電話機３００と通話可能である。この交換装置１０３と転送用携帯電話機１０５とでビジネスホンシステム１００と外部の携帯電話機３００とを接続する通話中継システムが構成される。
【０００６】
このビジネスホンシステム１００を用いて、外部の電話機２００からオフィスに電話がかかってくると、複数の多機能電話機１０２のいずれかで応答して、これを外部の携帯電話機３００に接続することが可能となる。具体的には、応答した多機能電話機１０２は主装置１０１を介してこの外線電話を交換装置１０３に接続する。交換装置１０３は、いずれかの近距離無線通信アダプタ１０４を介して対応する転送用携帯電話機１０５を制御して、転送用携帯電話機１０５に、多機能電話機１０２より指定された番号の携帯電話機３００に発呼させる。
【０００７】
着信を受けた携帯電話機３００が応答すると、外部の電話機２００からの音声は、公衆交換電話網ＮＷ１、主装置１０１、交換装置１０３、近距離無線通信アダプタ１０４、転送用携帯電話１０５、移動体通信網ＮＷ２をこの順に経由して外部の携帯電話機３００に伝送され、携帯電話機３００からの音声もこの逆の経路をたどって外部の電話機２００に伝送され、外部の電話機２００と外部の携帯電話機３００との間の通話が実現する。
【０００８】
このビジネスホンシステム１００によれば、転送用携帯電話機１０５と外部の携帯電話機３００との間では、移動体通信網ＮＷ２を介した通話ができ、携帯電話のキャリアが提供する各種の低料金プラン（例えば、無料通話）を利用できるので、外線を外部の携帯電話に転送することによる電話料金を低く抑えることができる。なお、転送用携帯電話機１０５の低料金プランが固定電話機に対しても利用できる場合には、外部の電話機は携帯電話機３００に限らず、固定電話機であってもよい（途中に公衆交換電話網を介してもよい）。
【先行技術文献】
【特許文献】
【０００９】
【特許文献１】特開２０１５−１０９５９１号公報
【発明の概要】
【発明が解決しようとする課題】
【００１０】
しかしながら、従来のビジネスホンシステム１００では、交換装置１０３と転送用携帯電話機１０５とは、Ｂｌｕｅｔｏｏｔｈ（登録商標）等の近距離無線通信で制御信号及び音声信号の送受信を行っているため、以下の問題がある。
【００１１】
まず、転送用携帯電話機１０５と近距離無線通信アダプタ１０４との相性によって通信が不安定になることがある。転送用携帯電話機１０５は、上述のように、市販されている一般的な携帯電話機であるが、それに内蔵されているＢｌｕｅｔｏｏｔｈ（登録商標）モジュールの詳細は公開されておらず、この通信不安定の問題の根本的な解決は困難である。
【００１２】
また、転送用電話機１０５を交換装置１０３の近傍に設置して両者の通信を確立するために、設置時にペアリング等の設定作業が必須となる。さらに、転送用携帯電話機１０５と交換装置１０３との間の近距離無線通信が、他の無線ＬＡＮ等の無線通信と干渉して混信を生ずることもある。
【００１３】
本発明は、移動体通信網を介して外部の電話機への安価な転送が可能なビジネスホンシステムにおいて、設定作業の負担を軽減し、通信の安定化を図ることを目的とする。
【課題を解決するための手段】
【００１４】
本発明の一態様は、ビジネスホンシステムの主装置に接続される交換装置と、前記交換装置に接続される回線アダプタ装置とを含む通話中継システムである。前記交換装置と前記回線アダプタ装置とはＵＳＢケーブルで有線接続される。前記回線アダプタ装置は、移動体通信に用いられるＩＣカードを収容し、移動体通信網を介した音声通話を行う移動体通信モジュールと、前記移動体通信モジュールから出力されるアナログ音声信号をデジタル音声信号に変換するＡ／Ｄコンバータと、前記交換装置からのデジタル音声信号をアナログ音声信号に変換して前記移動体通信モジュールに入力するＤ／Ａコンバータとを備える。前記交換装置は、前記主装置から指定された電話番号に発呼するための呼制御信号を出力する呼制御部と、前記主装置と前記回線アダプタ装置との間でデジタル音声信号を中継する中継処理部とを備える。前記移動体通信モジュールは、前記交換装置から伝送された前記呼制御信号にて指示された電話番号に発呼して音声通話を行う。前記通話中継システムでは、前記ＵＳＢケーブルを通じて、前記Ａ／Ｄコンバータの変換で得られたデジタル音声信号を前記回線アダプタ装置から前記交換装置に送信し、前記ＵＳＢケーブルを通じて、デジタル音声信号を前記交換装置から前記回線アダプタ装置に送信する。
【００１５】
この構成によれば、回線アダプタ装置がＡ／Ｄコンバータを備えており、移動体通信モジュールの音声通話によって移動体通信モジュールから出力されるアナログ音声信号をデジタル音声信号に変換するので、回線アダプタ装置から交換装置にデジタル音声信号を出力でき、さらに、回線アダプタ装置がＤ／Ａコンバータを備えており、交換装置からのデジタル音声信号をアナログ音声信号に変換して移動体通信モジュールに入力できるので、回線アダプタ装置は交換装置からデジタル音声信号を入力できる。よって、回線アダプタ装置と交換装置とは、近距離無線通信によらずに、ＵＳＢケーブルを介して音声信号の送受信を行うことができ、交換装置と回線アダプタ装置との間の通信を安定化させることができる。また、回線アダプタ装置と交換装置との間の通信に近距離無線通信を用いないので、新設時のペアリング等の設定の負荷が軽減される。
【００１６】
前記回線アダプタ装置は、さらに、無応答の電話番号への発呼を所定回繰り返したときに、前記移動体通信モジュールを再起動する制御部を備えていてよい。この構成により、無応答の電話番号に所定回数を超えて発呼することで発信規制がかかることを回避できる。
【００１７】
前記回線アダプタ装置において、前記移動体通信モジュールは、前記回線アダプタ装置の他の部品に対して独立した部品として構成されてよい。この構成により、携帯電話のキャリアから提供される移動体通信モジュールを利用して安価に回線アダプタ装置を製造できる。
【００１８】
本発明の一態様の回線アダプタ装置は、ビジネスホンシステムの主装置に接続される交換装置と、ＵＳＢケーブルで有線接続される回線アダプタ装置であって、移動体通信に用いられるＩＣカードを収容し、移動体通信網を介した音声通話を行う移動体通信モジュールと、前記移動体通信モジュールから出力されるアナログ音声信号をデジタル音声信号に変換するＡ／Ｄコンバータと、前記交換装置からのデジタル音声信号をアナログ音声信号に変換して前記移動体通信モジュールに入力するＤ／Ａコンバータとを備え、前記ＵＳＢケーブルを通じて、前記Ａ／Ｄコンバータの変換で得られたデジタル音声信号を前記交換装置に送信し、前記ＵＳＢケーブルを通じて、前記交換装置からのデジタル音声信号を受信し、前記移動体通信モジュールは、前記交換装置から伝送された呼制御信号にて指示された電話番号に発呼して音声通話を行う。
【００１９】
この構成により、移動体通信モジュールの音声通話によって移動体通信モジュールから出力されるアナログ音声信号がＡ／Ｄコンバータでデジタル音声信号に変換されるので、回線アダプタ装置から交換装置にデジタル音声信号を出力でき、さらに、交換装置からのデジタル音声信号がＤ／Ａコンバータでアナログ音声信号に変換されて移動体通信モジュールに入力されるので、回線アダプタ装置は交換装置からデジタル音声信号を入力できる。よって、近距離無線通信によらずに、ＵＳＢケーブルを介して交換装置との間で音声信号の送受信を行うことができ、交換装置との通信を安定化させることができる。また、交換装置との間の通信に近距離無線通信を用いないので、新設時のペアリング等の設定の負荷が軽減される。
【００２０】
前記回線アダプタ装置は、さらに、無応答の電話番号への発呼を所定回繰り返したときに、前記移動体通信モジュールを再起動する制御部を備えていてよい。この構成により、無応答の電話番号に所定回数を超えて発呼することで発信規制がかかることを避けることができる。
【００２１】
前記移動体通信モジュールは、前記回線アダプタ装置において他の部品に対して独立した部品として構成されてよい。この構成により、携帯電話のキャリアから提供される移動体通信モジュールを利用して安価に回線アダプタ装置を製造できる。
【発明の効果】
【００２２】
本発明によれば、回線アダプタ装置と交換装置との間の通信を安定化させることができ、新設時の設定の負荷を軽減できる。
【図面の簡単な説明】
【００２３】
【図１】本発明の実施の形態のビジネスホンシステムの構成を示す図
【図２】本発明の実施の形態の交換装置と回線アダプタ装置とからなる通話中継システムの構成を示すブロック図
【図３】従来のビジネスホンシステムの構成を示す図
【発明を実施するための形態】
【００２４】
以下、図面を参照して本発明の実施の形態を説明する。なお、以下に説明する実施の形態は、本発明を実施する場合の一例を示すものであって、本発明を以下に説明する具体的構成に限定するものではない。本発明の実施にあたっては、実施の形態に応じた具体的構成が適宜採用されてよい。
【００２５】
図１は、本発明の実施の形態のビジネスホンシステムの構成を示す図である。ビジネスホンシステム１０は、主装置１１と、複数の多機能電話機１２と、交換装置１３と、複数の回線アダプタ装置１５とを備えている。このビジネスホンシステム１０は、例えばオフィスに導入される。主装置１１は、公衆交換電話網ＮＷ１に接続されており、外部の電話機に対して外線電話をかけ、外部の電話機から外線電話を受けることができる。公衆交換電話網ＮＷ１にはオフィス外の電話機２０が接続されている。また、主装置１１は、構内の複数の多機能電話機１２に電話線で接続されている。主装置１１は、さらに交換装置１３とＬＡＮケーブルで接続されており、ＳＩＰ（Session Initial Protocol）によってＶｏＩＰの通信を行う。
【００２６】
交換装置１３は、複数のＵＳＢポート１３３を有し、交換装置１３と回線アダプタ装置１５とはＵＳＢケーブル１６を介して有線接続されている。この交換装置１３と回線アダプタ装置１５とでビジネスホンシステム１０と外部の電話機（ここでは携帯電話機）３０とを接続して、外部の電話機２０と携帯電話機３０との間の電話を中継する通話中継システムが構成される。回線アダプタ装置１５は、移動体通信網（ここでは携帯電話網）ＮＷ２に接続して、携帯電話網ＮＷ２を介して携帯電話機３０と音声通話が可能である。
【００２７】
以上のような構成において、外部の電話機２０からオフィスに電話がかかってくると、複数の多機能電話機１２のいずれかで応答して、これを外部の携帯電話機３０に接続（転送）することが可能となる。具体的には、外線に応答した多機能電話機１２は、主装置１１を介して交換装置１３に接続し、外部の携帯電話機３０の電話番号を指定する。交換装置１３は、ＵＳＢケーブル１６で接続された対応する回線アダプタ装置１５を制御して、回線アダプタ装置１５に、多機能電話機１２より指定された番号の外部の携帯電話機３０に発呼させる。
【００２８】
着信を受けた携帯電話機３０が応答すると、外部の電話機２０からの音声は、公衆交換電話網ＮＷ１、主装置１１、交換装置１３、ＵＳＢケーブル１６、回線アダプタ装置１５、携帯電話網ＮＷ２をこの順に経由して外部の携帯電話機３０に伝送され、携帯電話機３００からの音声もこの逆の経路をたどって外部の電話機２０に伝送され、外部の電話機２０と外部の携帯電話機３０との間の通話が実現する。
【００２９】
このビジネスホンシステム１０によれば、回線アダプタ装置１５と外部の携帯電話機３０との間では、携帯電話網ＮＷ２を介した通話ができ、回線アダプタ装置１５のＩＣカードで契約している携帯電話のキャリアが提供する各種の低料金プラン（例えば、無料通話）を利用できるので、外線を外部の携帯電話に転送することによる電話料金を低く抑えることができる。なお、多機能電話機１２から外部の携帯電話機３０に電話をする場合にも、内線及び交換装置１３を通じて回線アダプタ装置１５から外部の携帯電話機３０に電話を掛けることで、携帯電話のキャリアが提供する低料金プランを利用できる。なお、回線アダプタ１５に着信があった場合には、ビジネスホンシステム１０は、主装置１１に接続された多機能電話機１２のうち所定の内線番号のものを呼び出すように動作する。
【００３０】
図２は、交換装置１３と回線アダプタ装置１５とからなる通話中継システムの構成を示すブロック図である。交換装置１３は、制御部１３１とＵＳＢコントローラ１３２を備えている。制御部１３１は、呼制御部として、回線アダプタ装置１５の呼制御を行うための呼制御信号を生成する。具体的には、制御部１３１は、主装置１１から指定された電話番号の携帯電話機３０に発呼するように回線アダプタ装置１５を制御する。制御部１３１は、主装置１１と回線アダプタ装置１５との間でデジタル音声信号を中継する中継処理部としても機能する。ＵＳＢコントローラ１３２は、制御部１３１から出力された呼制御信号をＵＳＢケーブル１６経由で回線アダプタ装置１５に伝送する。
【００３１】
回線アダプタ装置１５は、移動体通信モジュール１５１と、マイコン１５２と、状態表示用ＬＥＤ１５３と、アンテナ１５４とを備えている。マイコン１５２は、汎用非同期送受信回路（ＵＡＲＴ：Universal Asynchronous Receiver-Transmitter）１５２１と、Ａ／Ｄコンバータ１５２２と、Ｄ／Ａコンバータ１５２３と、ＵＳＢコントローラ１５２４とを備えている。
【００３２】
移動体通信モジュール１５１は、各種装置や電子機器に携帯電話のデータ通信機能を持たせるために携帯電話の無線部とデータ通信アダプタ機能を一体化した小型モジュールである。この移動体通信モジュール１５１は、例えば、自動販売機など据え置かれる機械の管理の自動化、タクシーやバスの運行管理、デジタルサイネージの情報の遠隔更新など、業務上のさまざまなソリューションを開発するのに利用されることを想定して、携帯電話のキャリアから提供される。本実施の形態では、この移動体通信モジュール１５１として、音声通話が可能なものが採用される。
【００３３】
本実施の形態の回線アダプタ装置１５では、このように携帯電話のキャリアから提供される移動体通信モジュール１５１をそのまま用いて回線アダプタ装置１５を構成する。すなわち、移動体通信モジュール１５１は、回線アダプタ装置１５の他の部品とは独立した部品として回線アダプタ装置１５に組み込まれる。
【００３４】
回線アダプタ装置１５をこのような構成にすることで、回線アダプタ装置１５の移動体通信モジュール１５１以外の部品（筐体等を含む）は、複数のキャリアが提供する移動体通信モジュール１５１に対して共通に用いることができる。例えば、ある会社において、社員にキャリアＡ社の携帯電話機３０を配給している場合には、この移動体通信モジュール１５１もＡ社のものとすることで格安の料金プランを使用することができることがある。
【００３５】
また、別の会社で社員にキャリアＢ社の携帯電話機３０を配給している場合には、この移動体通信モジュール１５１もＢ社のものを採用することができる。このように回線アダプタ装置１５にＡ社の移動体通信モジュール１５１を実装する場合にも、Ｂ社の移動体通信モジュール１５１を実装する場合にも、移動体通信モジュール１５１以外の部品は共通に利用することができるので、各キャリアに対応した回線アダプタ装置１５の製造コストを抑えることができる。
【００３６】
移動体通信モジュール１５１には、携帯電話のキャリアが発行する、契約者情報を記録したＩＣカード（例えば、ＵＩＭカードやＳＩＭカード）Ｃが収容され、移動体通信モジュール１５１は、このＩＣカードＣを用いて移動体通信を行う。移動体通信モジュール１５１は、マイコン１５２に制御されることで、交換装置１３から受信した呼制御信号に従って指定された電話番号の携帯電話機３０に発呼する。移動体通信モジュール１５１と発信先の携帯電話機３０との通話は、アンテナ１５４を介して行われる。なお、図２ではアンテナ１５４が回線アダプタ装置１５から突出するように描かれているが、アンテナ１５４は回線アダプタ装置１５内に内蔵されてよい。
【００３７】
マイコン１５２は、状態表示用ＬＥＤ１５３を制御する。状態表示用ＬＥＤ１５３は、点灯、点滅、色等によって、電源が投入された状態（発信、通話をしていない状態）、発信又は通話をしている状態、エラー状態等の回線アダプタ装置１５ないし移動体通信モジュール１５１の各種状態を表現する。
【００３８】
移動体通信モジュール１５１は、外部の電話機２０側の音声をアナログ音声信号として入力し、外部の電話機２０側に出力する音声もアナログ音声信号として出力する。回線アダプタ装置１５は、このように、移動体通信モジュール１５１に入出力されるアナログ音声回路をＵＳＢケーブル１６を介して交換装置１３との間で送受信できるように、Ａ／Ｄコンバータ１５２２及びＤ／Ａコンバータ１５２３を備えている。
【００３９】
すなわち、Ａ／Ｄコンバータ１５２２は、移動体通信モジュール１５１から出力される携帯電話機３０からのアナログ音声信号をデジタル音声信号に変換し、ＵＳＢコントローラ１５２４は、このデジタル音声信号を、ＵＳＢケーブル１６を介して交換装置１３に伝送する。また、Ｄ／Ａコンバータ１５２３は、交換装置１３からＵＳＢケーブル１６を介して伝送されてきた、外部の電話機２０側のデジタル音声信号をアナログ音声信号に変換して移動体通信モジュール１５１に入力する。また、交換装置１３からの呼制御信号は、ＵＳＢケーブル１６を介して回線アダプタ装置１５に入力され、ＵＡＲＴ１５１から移動体通信モジュール１５に入力され、移動体通信モジュール１５の呼制御が行われる。
【００４０】
このように、本実施の形態の通話中継システムでは、外部の携帯電話機３０からの音声をアナログ音声信号として出力し、かつ、アナログ音声信号を入力して外部の携帯電話機３０に伝送する移動体通信モジュール１５１が回線アダプタ装置１５に実装されるとともに、この回線アダプタ装置１５と交換装置１３とをＵＳＢケーブル１６で接続して音声信号の送受信をするために、Ａ／Ｄコンバータ１５２２及びＤ／Ａコンバータ１５２３とを備えている。
【００４１】
本実施の形態の通話中継システムでは、回線アダプタ装置１５と交換装置１３とがＵＳＢケーブル１６で有線接続されるので、両者の間の音声信号の送受信は、両者が近距離無線通信で通信を行う場合と比較して安定する。また、近距離無線通信を利用する場合には、初期設定として、転送用携帯電話機１０５と交換装置１３とのペアリングを行う必要があるが、本実施の形態では、そのようなペアリングの操作は必要ない。
【００４２】
さらに、従来のように転送用携帯電話機１０５と交換装置１０３とが近距離無線通信で通信を行う場合には、転送用携帯電話機１０５を電源用ケーブルを介して電源に接続して充電する必要があるが、本実施の形態の場合には、回線アダプタ装置１５には、ＵＳＢケーブル１６を介して交換装置１３から電源が供給されるので、回線アダプタ装置１５を別途電源に接続しない構成とすることも可能である。
【００４３】
なお、従来のビジネスホンシステム１００においても転送用携帯電話機１０５と交換装置１０３とをＵＳＢケーブルで接続することは可能であるが、転送用携帯電話機１０５は音声をアナログ音声信号としてしか入出力できず、音声信号の入出力ポートとＵＳＢケーブルのポートとは別々に構成されている。
【００４４】
したがって、呼制御信号はＵＳＢケーブルを介して送受信を行う一方、音声信号は音声用のケーブルを介して送受信を行わなければならず、交換装置１０３に複数の転送用携帯電話機１０５を接続する際には、交換装置１０３にその台数分のＵＳＢポート１０３１と音声出力ポートを用意しなければならない。これに対して、本実施の形態のビジネスホンシステム１０の通話中継システムによれば、交換装置１３に複数の回線アダプタ装置１５を接続する場合にも、交換装置１３は回線アダプタ装置１５の台数分のＵＳＢポート１３３を備えていればよい。
【００４５】
次に、移動体通信モジュール１５１から携帯電話機３０への発信規制を回避する機能について説明する。携帯電話機は、応答しない携帯電話機（電話番号）に繰り返し電話をかけさせない発信規制機能を備えている。無応答の携帯電話機に所定回数以上の発呼を繰り返すと、最初は当該番号に対する発信が数分程度不可能となり、さらに回数を重ねるとブラックリスト状態となってその番号に対する発信規制が常態化する。この状態は、発呼側の携帯電話機が電源をいったん切断して再起動するまで継続する。
【００４６】
そこで、回線アダプタ装置１５のマイコン１５２は、無応答の電話番号に対して発呼を繰り返し、その連続無応答発呼回数が発信規制対象回数に達したとき、ないしは規制対象回数に達する前の所定回数に達したときに、移動体通信モジュール１５１を再起動して、連続無応答発呼回数をリセットする。これにより、移動体通信モジュール１５１から携帯電話機３０への発信規制を回避することができる。
【符号の説明】
【００４７】
１０  ビジネスホンシステム
１１  主装置
１２  多機能電話機
１３  交換装置
１３１  制御部
１３２  ＵＳＢコントローラ
１３３  ＵＳＢポート
１５  回線アダプタ装置
１５１  移動体通信モジュール
１５２  マイコン
１５２１  汎用非同期送受信回路
１５２２  Ａ／Ｄコンバータ
１５２３  Ｄ／Ａコンバータ
１５２４  ＵＳＢコントローラ
１５３  状態表示用ＬＥＤ
１５４  アンテナ
１６  ＵＳＢケーブル
２０  電話機
３０  携帯電話機
ＮＷ１  公衆交換電話網
ＮＷ２  移動体通信網（携帯電話網）
１００  ビジネスホンシステム
１０１  主装置
１０２  多機能電話機
１０３  交換装置
１０４  近距離無線通信アダプタ
１０５  転送用携帯電話機
２００  電話機
３００  携帯電話機
【図１】
2017192084.tif 000003
【図２】
2017192084.tif 000004
【図３】
2017192084.tif 000005